(57)【要約】【課題】利便性、安全性、ファッション性に優れた携帯型情報再生端末を実現する。【解決手段】携帯型情報再生端末に、コンテンツの再生に係る操作を行うことを可能とする操作手段、コンテンツの再生処理を行うコンテンツ再生手段、コンテンツに係る音声を出力する音声出力手段、コンテンツに係る映像を出力する表示手段を設け、操作手段が配置された操作装置（コントロール装置２１）と、コンテンツ再生手段が配置された装置本体１と、表示手段が配置された表示装置１１とをそれぞれ独立した筐体で構成し、装置本体と操作装置との間及び装置本体と表示装置との間を、外部に露出した紐状部材４０ａ、４０ｂ、５０ａ、５０ｂによって接続する。そして、装置本体が、第１のユニット（装置本体（左側））１ａ及び第２のユニット（装置本体（右側））１ｂに着脱可能なように構成する。【選択図】　　　　図１
2004096442.tif 000002
【特許請求の範囲】
【請求項１】
映像情報及び音声情報を含むコンテンツの再生が可能な携帯型情報再生端末であって、
前記コンテンツの再生に係る操作を行うことを可能とする操作手段と、
前記コンテンツの再生処理を行うコンテンツ再生手段と、
前記コンテンツに係る音声を出力する音声出力手段と、
前記コンテンツに係る映像を出力する表示手段とを有し、
前記操作手段が配置された操作装置と、前記コンテンツ再生手段が配置された装置本体と、前記表示手段が配置された表示装置とがそれぞれ独立した筐体によって構成され、前記装置本体と前記操作装置との間及び前記装置本体と前記表示装置との間が、外部に露出した紐状部材によって接続されており、
前記装置本体が、第１のユニット及び第２のユニットに着脱可能なよう構成されている携帯型情報再生端末。
【請求項２】
前記第１のユニットと前記操作装置との間が第１の紐状部材で接続されており、前記第２のユニットと前記表示装置との間が第２の紐状部材で接続されており、前記第１のユニットと前記第２のユニットとが結合された場合には、前記装置本体と前記第１及び第２の紐状部材とによって輪が形成され、前記第１のユニットと前記第２のユニットとが分離された場合には、前記輪が解けるよう構成されている請求項１に記載の携帯型情報再生端末。
【請求項３】
前記第１及び第２の紐状部材の少なくとも一方が、コンテンツの再生に係る信号の伝送が可能な導体である請求項２に記載の携帯型情報再生端末。
【請求項４】
前記第１のユニット及び前記第２のユニットのそれぞれの結合面に電気的な接続の接点が設けられており、前記第１のユニットと前記第２のユニットとが結合された場合には、前記接点同士が接続することによって前記コンテンツの再生が可能となる請求項１から３のいずれか１つに記載の携帯型情報再生端末。
【請求項５】
前記紐状部材が、当該携帯型情報再生端末を装着するユーザの首の後ろ側に前記装置本体が置かれた場合に前記ユーザの胸の前に前記表示装置及び前記操作装置が吊り下がる長さを有する請求項１から４のいずれか１つに記載の携帯型情報再生端末。
【請求項６】
前記装置本体が、当該携帯型情報再生端末を装着するユーザの首の後ろ側に置くのに適した形状に形成されている請求項５に記載の携帯型情報再生端末。
【請求項７】
前記音声出力手段として、１対のイヤホンと骨伝導スピーカとを有しており、前記１対のイヤホンがコードを介して前記装置本体と接続しており、前記骨伝導スピーカが前記装置本体に配置されている請求項１から６のいずれか１つに記載の携帯型情報再生端末。
【請求項８】
前記表示装置に、前記コンテンツの格納されている記憶媒体の挿入及び読み出しが可能な記憶媒体挿入口が配置されている請求項１から７のいずれか１つに記載の携帯型情報再生端末。
【請求項９】
所定のコンテンツ配信サーバから配信される前記コンテンツを受信することが可能な通信手段を有する請求項１から８のいずれか１つに記載の携帯型情報再生端末。
【発明の詳細な説明】
【０００１】
【発明の属する技術分野】
本発明は、映像情報（映像コンテンツ）や音声情報（楽曲コンテンツ）を含むコンテンツの再生を行うことが可能な携帯型情報再生端末に関する。
【０００２】
【従来の技術】
従来、外出先や移動中に映像情報や音声情報を含むコンテンツを再生し、楽しむことを可能とする携帯型情報再生端末が存在する。こうした携帯型情報再生端末は、例えば、所定の挿入口に挿入された可搬性記憶媒体（外部メモリ）からＭＰ３データなどの音声情報、映像と音声の両方を含むＭＰＥＧデータなどの動画音声情報を読み出し、イヤホンから音声を出力したり、所定の表示画面上に映像を表示したりすることが可能である。なお、上記の携帯型情報再生端末は、コンテンツ再生専用端末として実現可能であることに加え、携帯電話機やＰＤＡなどによって実現可能である。
【０００３】
また、特開２００２−４１０７２号公報には、形状に特徴を有し、使用時の収容場所を不要とすることを目的とする携帯型再生機器（携帯型情報再生端末）が開示されている。図７は、従来の技術に係る特開２００２−４１０７２号公報に開示されている携帯型再生機器の正面図である。
【０００４】
図７に示すように、特開２００２−４１０７２号公報に開示されている携帯型再生機器２００は、楽曲データの記憶されたメモリカードが収容される機器本体２０１を有している。この機器本体２０１の下部左右のそれぞれには、コード付きアーム２０２、２０３の一端部が接続されており、これらの２本のコード付きアーム２０２、２０３の他端部には、キー操作部２０４及び表示部２０５が設けられている。また、機器本体２０１の上部左右のそれぞれには、イヤホン２０８、２０９が設けられたイヤホンコード２０６、２０７が接続されている。
【０００５】
この携帯型再生機器２００を使用する場合、機器本体２０１を首の後ろに置き、２本のコード付きアーム２０２、２０３をキー操作部２０４及び表示部２０５と共に首の両側から胸の前に垂らし、２本のイヤホンコード２０６、２０７を首の両側から各耳側に延ばして各イヤホン２０８、２０９を各耳に取り付ける。これにより、機器本体２０１を鞄の中や衣服のポケットに収容する必要はなくなり、機器本体２０１の収容場所を不要にすることができる。
【０００６】
【発明が解決しようとする課題】
しかしながら、特開２００２−４１０７２号公報に開示されている携帯型情報再生端末では、装着時に機器本体を頭の上を通して首の後ろに持っていく必要があり、装着が面倒である。また、装着時には、キー操作部や表示部がコード付きアームと共に垂れ下がることになり、装着しているユーザが激しい動作をした場合などには、キー操作部や表示部が大きく揺れて邪魔になることがある。また、さらに激しい動作をしたり、身体の姿勢を変えたりした場合には、キー操作部や表示部が身体の後ろ側に回ってしまい、肩にかけているコード付きアームや首の後ろに装着している機器本体が外れ、最悪の場合には、機器本体が地面に落下して壊れてしまう可能性がある。
【０００７】
また、装着時に、別のメモリカードに記憶されているコンテンツを再生する場合、目の届かない首の後ろに装着されている機器本体に手を伸ばして、手探りでメモリカードの交換を行うか、機器本体を首からいったん取り外してメモリカードを交換し、再装着する必要がある。また、特開２００２−４１０７２号公報に開示されている携帯型再生機器を含む従来の携帯型情報再生端末は、自分で映像や音楽などのコンテンツを楽しむことを主な目的とするものであり、ユーザの自己顕示欲を満たすファッション性を追求しているものはなかった。
【０００８】
本発明は、上記課題に鑑み、簡単に装脱着を可能とする、当該携帯型情報再生端末の落下を防止する、他人の目を引きユーザの自己顕示欲を満足させるなど、利便性、安全性、ファッション性に優れた携帯型情報再生端末を提供することを目的とする。
【０００９】
【課題を解決するための手段】
上記目的を達成するため、本発明の携帯型情報再生端末は、映像情報及び音声情報を含むコンテンツの再生が可能な携帯型情報再生端末であって、コンテンツの再生に係る操作を行うことを可能とする操作手段と、コンテンツの再生処理を行うコンテンツ再生手段と、コンテンツに係る音声を出力する音声出力手段と、コンテンツに係る映像を出力する表示手段とを有し、操作手段が配置された操作装置と、コンテンツ再生手段が配置された装置本体と、表示手段が配置された表示装置とがそれぞれ独立した筐体によって構成され、装置本体と操作装置との間及び装置本体と表示装置との間が、外部に露出した紐状部材によって接続されており、装置本体が、第１のユニット及び第２のユニットに着脱可能なよう構成されている。
この構成により、第１のユニットと第２のユニットの着脱（結合・分離）を行うことが可能となり、例えば、装置本体を首の後ろ側におく場合などの当該携帯型情報再生端末の装着動作が容易となる。
【００１０】
さらに、本発明は、上記発明において、第１のユニットと操作装置との間が第１の紐状部材で接続されており、第２のユニットと表示装置との間が第２の紐状部材で接続されており、第１のユニットと第２のユニットとが結合された場合には、装置本体と第１及び第２の紐状部材とによって輪が形成され、第１のユニットと第２のユニットとが分離された場合には、輪が解けるよう構成されている。この構成により、例えば、当該携帯型情報再生端末をネックレスのようにして装着する場合、装置本体と第１及び第２の紐状部材とにより形成される輪の中に首が入るように、第１のユニットと第２のユニットの着脱を行うことによって、当該携帯型情報再生端末の装着が容易となる。
【００１１】
さらに、本発明は、上記発明において、第１及び第２の紐状部材の少なくとも一方が、コンテンツの再生に係る信号の伝送が可能な導体であるよう構成されている。
この構成により、例えば、紐状部材として導電体コードなどを利用し、表示装置や操作装置と装置本体とを電気的に接続することが可能となる。
【００１２】
さらに、本発明は、上記発明において、第１のユニット及び第２のユニットのそれぞれの結合面に電気的な接続の接点が設けられており、第１のユニットと第２のユニットとが結合された場合には、接点同士が接続することによってコンテンツの再生が可能となるよう構成されている。
この構成により、第１のユニットと第２のユニットとが結合している状態のときのみ、当該携帯型情報再生端末によるコンテンツの再生ができるようにすることも可能である。
【００１３】
さらに、本発明は、上記発明において、紐状部材が、当該携帯型情報再生端末を装着するユーザの首の後ろ側に装置本体が置かれた場合にユーザの胸の前に表示装置及び操作装置が吊り下がる長さを有するよう構成されている。
この構成により、例えば、装置本体を首の後ろ側においた場合に、表示装置や操作装置が、持ち運びに適した位置に配置されるようにすることが可能となる。また、胸の前にある表示装置で映像を表示することにより、周囲の人々の目を引きつけることが可能となる。
【００１４】
さらに、本発明は、上記発明において、装置本体が、当該携帯型情報再生端末を装着するユーザの首の後ろ側に置くのに適した形状に形成されている。
この構成により、例えば、装置本体を首の後ろ側においた場合に、首にかかる負担を和らげることが可能となる。
【００１５】
さらに、本発明は、上記発明において、音声出力手段として、１対のイヤホンと骨伝導スピーカとを有しており、１対のイヤホンがコードを介して装置本体と接続しており、骨伝導スピーカが装置本体に配置されている。
この構成により、コンテンツに係る音声品質（音質）を向上させることが可能となり、特に、低音の品質を向上させることが可能となる。
【００１６】
さらに、本発明は、上記発明において、表示装置に、コンテンツの格納されている記憶媒体の挿入及び読み出しが可能な記憶媒体挿入口が配置されている。
この構成により、例えば、装置本体を首の後ろ側から外すことなく記憶媒体の交換が容易となる。
【００１７】
さらに、本発明は、上記発明において、所定のコンテンツ配信サーバから配信されるコンテンツを受信することが可能な通信手段を有している。
この構成により、インターネットや所定のネットワークを介してコンテンツを受信し、受信したコンテンツを再生することが可能となる。
【００１８】
【発明の実施の形態】
以下、図面を参照しながら、本発明の携帯型情報再生端末に係る実施の形態について説明する。図１は、本発明の実施の形態の携帯型情報再生端末を示す正面図である。図１に示す携帯型情報再生端末１００は、装置本体（左側）１ａと装置本体（右側）１ｂからなる装置本体１、ユーザの耳に装着することが可能な左耳用イヤホン５ａ及び右耳用イヤホン５ｂ、映像を表示することが可能な表示装置１１、当該携帯型情報再生端末１００の操作を行うことを可能とするコントロール装置２１、左耳用イヤホン５ａ及び右耳用イヤホン５ｂと装置本体１とを接続し、装置本体１から左耳用イヤホン５ａ及び右耳用イヤホン５ｂに出力音声に係る音声信号を供給可能とするコード３０ａ、３０ｂ、表示装置１１と装置本体１とを接続し、表示装置１１で表示される映像に係る映像信号やその他の信号を伝送したり、表示装置１１で必要な電力を供給したりすることを可能とするコード４０ａ、４０ｂ、コントロール装置２１と装置本体１とを接続し、当該携帯型情報再生端末１００の動作を操作するための操作信号やその他の信号を伝送したり、コントロール装置２１で必要な電力を供給したりすることを可能とするコード５０ａ、５０ｂにより構成されている。なお、例えば、表示装置１１とコントロール装置２１とを一体化することも可能である。
【００１９】
なお、コード３０ａ、３０ｂ、４０ａ、４０ｂ、５０ａ、５０ｂは、それぞれ装置本体１、表示装置１１、コントロール装置２１などに収容可能とし、使用時に延伸できるようにすることが可能である。また、コード３０ａ、３０ｂは、使用時にユーザの耳にまで十分届く長さとし、コード４０ａとコード４０ｂ、コード５０ａとコード５０ｂは、それぞれ略等しい長さとして、正面から見て略左右対称となるようにすることが好ましい。また、コード４０ａ、４０ｂは、表示装置１１に重さを十分に支持し、コード５０ａ、５０ｂは、コントロール装置２１の重さを十分に支持できることが好ましい。
【００２０】
また、図６は、本発明の実施の形態の携帯型情報再生端末を装着したユーザの模式図であり、図６（ａ）は、本発明の実施の形態の携帯型情報再生端末を装着したユーザの正面図、図６（ｂ）は、本発明の実施の形態の携帯型情報再生端末を装着したユーザの右側面図である。図６に示すように、ユーザは、装置本体１を首の後ろに置き、表示装置１１とコントロール装置２１を胸の前に吊り下げられるようにして、携帯型情報再生端末１００を装着する。すなわち、装着時には、コード４０ａ、４０ｂと装置本体１とが形成する輪、及び、コード５０ａ、５０ｂと装置本体１とが形成する輪の中に、ユーザの頭が入った状態となる。また、表示装置１１は、ユーザの身体の前方に表示画面が向くよう装着されることが好ましい。
【００２１】
次に、図１に示す携帯型情報再生端末１００の装置本体１、表示装置１１、コントロール装置２１について説明する。図２は、本発明の実施の形態の携帯型情報再生端末の装置本体の断面図であり、図２（ａ）は装置本体（左側）と装置本体（右側）とが分離している状態を示す図、図２（ｂ）は装置本体（左側）と装置本体（右側）とが結合している状態を示す図である。なお、図２は、図１に示す携帯型情報再生端末１００の平面図であり、図２の下側がユーザの首と接触する部分となる。
【００２２】
図２に示す装置本体１は、装置本体（左側）１ａ及び装置本体（右側）１ｂの２つのユニットにより構成されている。また、装置本体１は、その内部に、所定のコンテンツ配信サーバ８０（図５に図示）からコンテンツを受信可能とする通信手段２、主な制御を行ったり、映像情報や音声情報のデコード処理を行ったりすることが可能なＣＰＵ３、動作や制御のプログラムを格納したり、コンテンツやその他の情報を一時的に格納したりすることが可能なメモリ４、コード３０ａ、３０ｂ（図２では不図示）が延伸することによってユーザの耳に取り付けることが可能な音声出力を行う左耳用イヤホン５ａ及び右耳用イヤホン５ｂ、出力音声の振動を頭骨に与えて聴覚神経に音声を伝送することが可能な骨伝導スピーカ６ａ、６ｂ、必要に応じて各手段に電力を供給することが可能なバッテリ７、装置本体（左側）１ａと装置本体（右側）１ｂとを電気的に接続し、信号や電力などの通り道を形成する接点８ａ、８ｂ、装置本体（左側）１ａと装置本体（右側）１ｂとを物理的に結合することが可能な磁石９ａ、９ｂを有している。なお、左耳用イヤホン５ａ及び右耳用イヤホン５ｂや骨伝導スピーカ６ａ、６ｂなどは、左右対称に配置する必要があるが、通信手段２、ＣＰＵ３、メモリ４、バッテリ７などは任意の位置に配置することが可能であり、装置本体（左側）１ａ及び装置本体（右側）１ｂのどちらに配置することも可能である。
【００２３】
図２（ａ）に示すように、装置本体（左側）１ａ及び装置本体（右側）１ｂはそれぞれ分離、独立しているが、図２（ｂ）に示すように、磁石９ａ、９ｂの磁力によって、装置本体（左側）１ａと装置本体（右側）１ｂとを結合させることが可能である。なお、装置本体（左側）１ａと装置本体（右側）１ｂとの結合力は、装着しているユーザが激しい動作をした場合でも、結合状態を維持できる程度の強さであることが好ましい。また、磁石９ａ、９ｂ以外にも、例えば、フックや嵌合可能な部材を用いて、装置本体（左側）１ａと装置本体（右側）１ｂとを結合することも可能である。
【００２４】
ユーザが、携帯型情報再生端末１００の装置本体１を首の後ろに装着する場合、装置本体（左側）１ａを左手に持ち、装置本体（右側）１ｂを右手に持って、両手を首の後ろに持っていき、磁石９ａと磁石９ｂとを吸着させて、装置本体（左側）１ａと装置本体（右側）１ｂとを結合する。これは、ネックレスなどの装飾品を装着する場合と同様であり、簡単に携帯型情報再生端末１００を装着することが可能となる。
【００２５】
また、装着本体１において、装着時にユーザの首の後ろに接触する部分の形状を、首の形に合わせて湾曲させた凹形状とすることが好ましい。また、首への負担を軽くするため、首との接触部分にクッションなどを設けることも可能である。
【００２６】
また、図３は、本発明の実施の形態の携帯型情報再生端末の表示装置の模式図であり、図３（ａ）は、本発明の実施の形態の携帯型情報再生端末の表示装置の正面図、図３（ｂ）は、本発明の実施の形態の携帯型情報再生端末の表示装置の右側面図である。図３に示す表示装置１１は、映像の表示を行うための表示手段（ＬＣＤ）１２、外部メモリ（可搬性記憶媒体）１４の挿入を可能とし、外部メモリ１４に格納されている情報の読み出しを行う外部メモリスロット（外部メモリ挿入口）１３を有している。
【００２７】
また、図４は、本発明の実施の形態の携帯型情報再生端末のコントロール装置の模式図であり、図４（ａ）は、本発明の実施の形態の携帯型情報再生端末のコントロール装置の正面図、図４（ｂ）は、本発明の実施の形態の携帯型情報再生端末のコントロール装置の右側面図である。図４に示すコントロール装置２１は、携帯型情報再生端末１００の状態（再生、一時停止、早送り、巻き戻しなどの動作状態やモード状態など）を光で通知するためのステータス表示ＬＥＤ２２、携帯型情報再生端末の操作を行うための操作スイッチ２３を有している。
【００２８】
次に、図１〜図４及び図５を参照しながら、本発明の携帯型情報再生端末１００の動作について説明する。図５は、本発明の実施の形態の携帯型情報再生端末の内部構成を示すブロック図である。図５に示されている手段はすべて、図１〜図４を用いてすでに説明しているので、詳細な説明は省略する。
【００２９】
携帯型情報再生端末を装着したユーザは、コントロール装置２１の操作スイッチ２３を操作することによって、表示装置１１の外部メモリスロット１２に挿入された外部メモリ１４内の所望のコンテンツを読み出すか、又は、通信手段２を介してコンテンツ配信サーバ８０から所望のコンテンツを受信する。このようにして取得されたコンテンツはＣＰＵ３に供給されて、ＣＰＵ３によって音声処理又は画像処理が行われる。処理後の音声信号は、左耳用イヤホン５ａ、右耳用イヤホン５ｂ、骨伝導スピーカ６ａ、６ｂに対して適切に供給され、各音声出力手段において音声出力が行われる。一方、処理後の画像信号は、表示装置１１に供給され、表示手段１２を用いて表示される。
【００３０】
また、操作スイッチからの指示によって、早送り再生や逆再生などの特殊再生や、楽曲や映像番組の頭出し、再生の一時停止などを行うことも可能であり、こうした動作の状態、モードの状態（例えば、通信手段２を介して取得したコンテンツの再生モードや、外部メモリ１４内のコンテンツの再生モードなど）を、ステータス表示ＬＥＤ２２を用いて示すことも可能である。
【００３１】
また、接点８ａと接点８ｂを電気的なスイッチとして利用し、携帯型情報再生端末１００の装着時に、装置本体（左側）１ａと装置本体（右側）１ｂとを結合し、接点８ａと接点８ｂが電気的に接続された場合にのみ、装置本体（左側）１ａと装置本体（右側）１ｂとの電気回路や電力供給線などが繋がり、携帯型情報再生端末がコンテンツの再生を行えるようにすることも可能である。なお、この場合、コード４０ａ、４０ｂやコード５０ａ、５０ｂは、略左右対称なコードのどちらか一方のみ電気信号や電力を流すことが可能なコードとすればよい。
【００３２】
一方、接点８ａや接点８ｂを設けず、装置本体（左側）１ａと装置本体（右側）１ｂとが磁石９ａ、９ｂを用いた結合箇所で電気的に接続しないようにすることも可能である。なお、この場合、コード４０ａ、４０ｂやコード５０ａ、５０ｂは、略左右対称なコードの両方とも電気信号や電力を流すことが可能なコードとする必要がある。また、この場合には、装置本体（左側）１ａと装置本体（右側）１ｂとを結合しなくても、携帯型情報再生端末１００はコンテンツの再生動作を行うことが可能となる。
【００３３】
また、さらに、装置本体と表示装置１１との間、装置本体１とコントロール装置２１との間、装置本体（左側）１ａと装置本体（右側）１ｂとの間をそれぞれ無線通信によって接続することも可能である。また、各装置又はユニットがバッテリを保持することも可能である。この場合には、コード４０ａ、４０ｂ、５０ａ、５０ｂに、コンテンツの再生に係る信号や電力を伝送できない部材を利用することが可能となる。
【００３４】
また、胸の前に吊り下がる表示装置１１は、ユーザの身体の前方に表示画面である表示手段１２が向くよう装着されることが好ましい。これによって、例えば、携帯型情報再生端末１００を装着しているユーザの周辺に居る者が、表示手段１２に表示されている映像を見ることが可能となり、携帯型情報再生端末１００を装着しているユーザは、自分が聞いている楽曲に係る映像や自分の好きな映像などを第３者に見せることが可能となる。また、例えば、表示手段１２に表示される映像を、衣服のデザインや色などとコーディネートすることにより、表示手段１２に表示されている映像をファッションとして取り入れることも可能である。また、例えば、広告に係る映像を表示手段１２に表示することにより、携帯型情報再生端末１００を装着しているユーザが、移動広告塔としての役割を果たせるようにすることも可能である。
【００３５】
【発明の効果】
以上、説明したように、本発明によれば、コンテンツの再生に係る操作を行うことを可能とする操作手段と、コンテンツの再生処理を行うコンテンツ再生手段と、コンテンツに係る音声を出力する音声出力手段と、コンテンツに係る映像を出力する表示手段とを有し、操作手段が配置された操作装置と、コンテンツ再生手段が配置された装置本体と、表示手段が配置された表示装置とがそれぞれ独立した筐体によって構成され、装置本体と操作装置との間及び装置本体と表示装置との間が、外部に露出した紐状部材によって接続されており、装置本体が、第１のユニット及び第２のユニットに着脱可能なように携帯型情報再生端末を構成するので、簡単に装脱着を可能とする、当該携帯型情報再生端末の落下を防止する、他人の目を引きユーザの自己顕示欲を満足させるなど、利便性、安全性、ファッション性に優れた携帯型情報再生端末を実現することが可能となる。
【図面の簡単な説明】
【図１】本発明の実施の形態の携帯型情報再生端末を示す正面図
【図２】本発明の実施の形態の携帯型情報再生端末の装置本体の断面図
（ａ）装置本体（左側）と装置本体（右側）とが分離している状態を示す図
（ｂ）装置本体（左側）と装置本体（右側）とが結合している状態を示す図
【図３】本発明の実施の形態の携帯型情報再生端末の表示装置の模式図
（ａ）本発明の実施の形態の携帯型情報再生端末の表示装置の正面図
（ｂ）本発明の実施の形態の携帯型情報再生端末の表示装置の右側面図
【図４】本発明の実施の形態の携帯型情報再生端末のコントロール装置の模式図
（ａ）本発明の実施の形態の携帯型情報再生端末のコントロール装置の正面図
（ｂ）本発明の実施の形態の携帯型情報再生端末のコントロール装置の右側面図
【図５】本発明の実施の形態の携帯型情報再生端末の内部構成を示すブロック図
【図６】本発明の実施の形態の携帯型情報再生端末を装着したユーザの模式図
（ａ）本発明の実施の形態の携帯型情報再生端末を装着したユーザの正面図
（ｂ）本発明の実施の形態の携帯型情報再生端末を装着したユーザの右側面図
【図７】従来の技術に係る特開２００２−４１０７２号公報に開示されている携帯型再生機器の正面図
【符号の説明】
１　装置本体
１ａ　装置本体（左側）（第１のユニット）
１ｂ　装置本体（右側）（第２のユニット）
２　通信手段
３　ＣＰＵ（コンテンツ再生手段）
４　メモリ
５ａ　左耳用イヤホン
５ｂ　右耳用イヤホン
６ａ、６ｂ　骨伝導スピーカ
７　バッテリ
８ａ、８ｂ　接点
９ａ、９ｂ　磁石
１１　表示装置
１２　表示手段（ＬＣＤ）
１３　外部メモリスロット（可搬性記憶媒体挿入口、外部メモリ挿入口）
１４　外部メモリ（可搬性記憶媒体）
２１　コントロール装置（操作装置）
２２　ステータス表示ＬＥＤ
２３　操作手段（操作スイッチ）
３０ａ、３０ｂ　コード
４０ａ、４０ｂ、５０ａ、５０ｂ　コード（紐状部材）
８０　コンテンツ配信サーバ
１００　携帯型情報再生端末
２００　携帯型再生機器（携帯型情報再生端末）
２０１　機器本体
２０２、２０３　コード付きアーム
２０４　キー操作部
２０５　表示部
２０６、２０７　イヤホンコード
２０８、２０９　イヤホン
【図１】
2004096442.tif 000003
【図２】
2004096442.tif 000004
【図３】
2004096442.tif 000005
【図４】
2004096442.tif 000006
【図５】
2004096442.tif 000007
【図６】
2004096442.tif 000008
【図７】
2004096442.tif 000009